(57)【要約】【課題】簡単な構成で確実に固定できるレンズ固定構造を備えた眼鏡フレームを提供する。【解決手段】フロントフレーム１０と、フロントフレーム１０と一体的に連結されレンズ２を固定するためのリム２０とが、一枚の平面的な金属板材から一体的に成形され、リム２０は、前記レンズ外周に形成された溝２ａに嵌合することでレンズ２を把持する構成で、リム２０の少なくとも一部に、レンズ２の周長方向に弾性的に伸縮する伸縮形状部４０を有することを特徴とする。【選択図】図１
0003199604.tif 000002
【実用新案登録請求の範囲】
【請求項１】
フロントフレームと、該フロントフレームと一体的に連結されレンズを固定するためのリムとが、一枚の平面的な金属板材から一体的に成形され、
前記リムは、前記レンズ外周に形成された溝に嵌合することでレンズを把持する構成で、リムの少なくとも一部に、レンズの周長方向に弾性的に伸縮する伸縮形状部を有することを特徴とする眼鏡フレーム。
【請求項２】
前記伸縮形状部は、リムの一部がレンズの外周に対してレンズと反対側に突出する山部を備えた折り曲げ部を有する請求項１に記載の眼鏡フレーム。
【請求項３】
前記折り曲げ部が複数併設され、各折り曲げ部が谷部を介してつながってジグザグ形状に繰り返される形状パターンとなっている請求項２に記載の眼鏡フレーム。
【請求項４】
前記折り曲げ部の先端部が、リムとの付け根に向けて折り返すようにＵ字形状に折り返されている請求項２又は３に記載の眼鏡フレーム。
【請求項５】
前記リムがフロントフレームに対して連結片によって隙間を介して連結されている請求項１乃至４のいずれかの項に記載の眼鏡フレーム。
【請求項６】
前記リムがフロントフレームに対して隙間無く一体的に連結されている請求項１乃至４のいずれかの項に記載の眼鏡フレーム。
【請求項７】
前記フロントフレームには、パッド足も一体成形されている請求項１乃至６のいずれかの項に記載の眼鏡フレーム。
【請求項８】
平面的な板材から、フロントフレーム及び伸縮形状部を備えたリムを平面的に展開した形態のプレフレームを成形し、プレフレームを塑性変形させて、フロントフレーム及び伸縮形状部を備えたリムを成形する請求項１乃至７のいずれかの項に記載の眼鏡フレーム。
【考案の詳細な説明】
【技術分野】
【０００１】
本考案は、平面形態のプレフレーム（中間製品）から成形される眼鏡フレームに関する。
【背景技術】
【０００２】
本出願人は、すでに、特許文献１において、レンズとは非接触のフロントフレームと、フロントフレームと一体的に連結され少なくともレンズを固定するためのレンズ固定部を備えたフロントパーツと、フロントフレームに一体的に連結されるテンプルとが、一枚の平面的な板材から一体的に成形されている眼鏡フレームを提案している。
【先行技術文献】
【特許文献】
【０００３】
【特許文献１】特開２００８−１４５５３５号公報
【考案の概要】
【考案が解決しようとする課題】
【０００４】
しかし、フロントパーツのレンズ固定部は、レンズの木端面を支持片に当接させ、固定片をレンズ面にあてがって、ねじで固定する構成となっていた。そのため、レンズの装着作業にあたってねじ止め作業を要し、ねじの緩みに対して、ときどきねじを増す締めする必要があった。
本考案の目的は、簡単な構成で確実に固定できるレンズ固定構造を備えた眼鏡フレームを提供することにある。
【課題を解決するための手段】
【０００５】
上記目的を達成するために、本考案は、フロントフレームと、該フロントフレームと一体的に連結されレンズを固定するためのリムとが、一枚の平面的な金属板材から一体的に成形され、
前記リムは、前記レンズ外周に形成された溝に嵌合することでレンズを把持する構成で、リムの少なくとも一部に、レンズの周長方向に弾性的に伸縮する伸縮形状部を有することを特徴とする。
伸縮形状部は、リムの一部がレンズの外周に対してレンズと反対側に突出する山部を備えた折り返し部とすることができる。
伸縮形状部は、折り返し部が谷部を介してつながってジグザグ形状に繰り返される形状パターンとすることが好適である。
伸縮形状部は、Ｕ字形状の突出部をＵ字の脚部を含む面を、リム側の付け根に向けて折り返すようにＵ字形状に曲げ返されていることが好適である。
リムがフロントフレームに対して連結片によって隙間を介して連結されていることが好適である。
また、フロントフレームには、パッド足も一体成形されていることが好適である。
【考案の効果】
【０００６】
本考案によれば、伸縮形状部を設けたリムによって、伸縮レンズの着脱作業が極めて簡単にでき、しかもレンズを確実に把持することができる。また、フロントフレーム及び伸縮形状部を含むリムが一枚の金属板から一体成形することができ、容易に製造できる。
【図面の簡単な説明】
【０００７】
【図１】図１は本考案の実施の形態１に係る眼鏡フレームを示すもので、（Ａ）は正面図、（Ｂ）は斜視図、（Ｃ）は別の角度から見た斜視図、（Ｄ）はリムで保持されるレンズの断面図である。
【図２】図２は成形用のプレフレームの正面図である。
【図３】図３は本発明の他の実施の形態に係る眼鏡フレームを示すもので、（Ｂ）は斜視図、（Ｃ）は別の角度から見た斜視図、（Ａ）はプレフレームの正面図。
【図４】図４はさらに他の実施の形態に係る眼鏡フレームを示すもので、（Ａ）はブロータイプの眼鏡フレーム、（Ｂ）及び（Ｃ）はリムと外枠の間に隙間が無いタイプの眼鏡フレームを示す斜視図。
【考案を実施するための形態】
【０００８】
以下に図面を参照して、本考案の実施の形態に係る眼鏡フレームを詳細に説明する。ただし、この実施の形態に記載されている構成部品の寸法、材質、形状、その相対配置などは、特に特定的な記載がない限りは、この考案の範囲をそれらのみに限定する趣旨のものではない。
【０００９】
図１及び図２は、本考案の一実施の形態に係る眼鏡フレームを示している。
すなわち、本考案の眼鏡フレーム１は、図１に示すように、フロントフレーム１０と、フロントフレーム１０と一体的に連結されレンズ２を固定するためのリム２０と、フロントフレーム１０に連結されるテンプル３０と、を備えている。このうち、フロントフレーム１０とリム２０が、一枚の平面的な金属板材から一体的に成形され、リムは、レンズ外周に形成されたみぞに嵌合することでレンズを把持する構成となっている。
【００１０】
フロントフレーム１０は、レンズ外周が非接触状態で、レンズに干渉しない状態でレンズを取り囲むように設けられる左右の外枠１１、１１と、外枠１１，１１間を連結するブリッジ１３と、左右の外枠１１，１１の側方端に位置するヨロイ１５を備えている。
【００１１】
外枠１１は、正面視でレンズ２の外周に沿った形状であるが、ブリッジ１３に近い側である中央寄りの部分はレンズ２に沿って延び、左右の側方端に向けて徐々に後方に湾曲して延びている。
ヨロイ１５は、外枠の側辺からコ字形状に突出する形状で、この例では、別体構成のテンプル３０の前端部が、丁番部を介して、ヨロイ１５に連結されている。また、外枠１１の内側辺には、パッド足１４も一体成形されていることが好適である。
【００１２】
リム２０は、図１（Ｄ）に示すように、レンズ２の外周に全周にわたって形成された溝２ａに嵌合するために、レンズ外周形状に倣って環状に形成され、外枠１１に対して連結片１６によって隙間を介して連結されている。連結片６は、リム２０の上辺の中途部、内側辺のブリッジ１３の連結部及び内側辺の下端付近の３か所に設けられ、３点で連結されている。
リム２０の一部、この例では、リム２０の外側辺で、外枠１１のヨロイ１５に対応する位置に、レンズの周長方向に弾性的に伸縮する伸縮形状部４０が設けられている。
【００１３】
伸縮形状部４０は、リム２０の一部がレンズの外周に対してレンズと反対側にＵ字形状に突出する山部４１を備えた折り曲げ部４２を有する。この例では、２つの折り曲げ部４２が谷部４３を介してつながってジグザグ形状に繰り返される形状パターンとなっている。折り曲げ部４２は、１つでもよいし、３つ以上であってもよい。
さらに、各折り曲げ部４２の先端側は、揃ってレンズ側にＵ字形状に折り返されている。この折り返し部４４は、この例では、先端が１８０°折り返され、レンズ側に向けられている。
眼鏡フレーム１へのレンズ２の装着は、伸縮形状部４０の弾性力に抗してリム２０を拡げ、レンズ２の外周に形成された溝２ａにリム２０を嵌合し、伸縮形状部４０の弾性力に
よってリム２０がレンズ２を外周に締め付けられることにより、レンズ２が把持される。伸縮形状部４０は、各折り曲げ部４２が弾性的に拡がる方向にたわみ変形することにより、リム２０の伸長方向に伸縮する。
【００１４】
図２は、本考案の眼鏡フレームを成形するための中間成形体としてのプレフレーム１００を示している。
このプレフレーム１００は、フロントフレーム１０となるフロントフレーム対応部１１０と、リム２０となるリム対応部１２０と、を備え、これらの構成部分が互いに干渉しない形態で一つの平面上に配置され、一枚の展開フレームとして一体的に構成されている。
この例では、金属板をレーザで切り抜いたものであるが、金型を用いて打ち抜いてもよいし、エッチング等によって不要な部分を除去して所定形状に成形したものである。素材の材質については、特に限定されないが、本実施の形態ではβチタンシートが用いられている。
【００１５】
フロントフレーム対応部１１０には、外枠１１となる一対の外枠対応部１１１と、外枠対応部１１１、１１１の内側辺を連結する一対のブリッジ１３となるブリッジ対応部１１３，１１３と、ヨロイ１５となるヨロイ対応部１１５及びパッド足１４に対応するパッド足対応部１１４が設けられている。
リム対応部１２０には、外枠１１のヨロイ１５に対応する位置に、レンズの周長方向に弾性的に伸縮する伸縮形状対応部１４０が設けられている。
伸縮形状部対応部１４０は、リム対応部１２０の外側辺から外側にＵ字形状に突出する山部を備えた折り曲げ部１４２を有する。この例では、２つの折り曲げ部１４２が谷部１４３を介してつながってジグザグ形状に繰り返される平面的な形状パターンとなっている。
【００１６】
この平面形態のプレフレーム１００の各部を所定形状に曲げて立体的な眼鏡フレームのフロント部が成形される。
すなわち、外枠対応部１１１を所定形状に曲げて外枠１１を、パッド足対応部１１４を曲げてパッド足１４を成形する。さらに、リム対応部１２０を湾曲させてリム２０を成形するとともに、伸縮形状対応部１４０の各折り曲げ部１４２の先端側を所定の曲率で１８０°折り返して折り返し部１４４を成形し、伸縮形状部４０とする。このように形成されたフロント部のヨロイ対応部１１５に、不図示の丁番を介してテンプル３０を連結して眼鏡フレームが完成する。丁番はろう付け等によって固定する。
【００１７】
以上、本考案の実施の形態によれば、伸縮形状部４０を設けたリム２０によって、レンズ２の着脱作業が極めて簡単にでき、しかもレンズ２を確実に把持することができる。また、フロントフレーム１０及び伸縮形状部４０を含むリム２０が一枚の金属板から一体成形することができ、容易に製造できる。
【００１８】
次に本考案の他の実施の形態について説明する。
以下の説明では、主として上記実施の形態と異なる点についてのみ説明し、同一の構成部分については、同一の符号を付して説明は省略する。
図３（Ｂ），（Ｃ）は、本考案の他の実施の形態に係る眼鏡フレームを示している。この眼鏡フレームは、フロントフレーム２１０の外枠２１１、ヨロイ２１５の形状、及びリム２０の伸縮形状部４０の位置が、上記図１及び図２に示す実施の形態と相違している。
すなわち、外枠２１１は、上半部２１１Ａと下半部２１１Ｂとを有し、左右の上半部２１１Ａを連結する上ブリッジ２１６Ａと、下半部２１１Ｂを連結する下ブリッジ２１６Ｂが、所定間隔だけ離間して分離した構成となっている。
また、ヨロイ２１５は、上半部２１１Ａと下半部２１１Ｂの側端の結合部２１１Ｃから上方に突出する突出片によって構成されている。このヨロイ２１５に対して、テンプル２
３０の前端部が不図示の丁番を介して連結されている。この例では、リム２０の伸縮形状部４０が、ヨロイ２１５に対して下方に配置されている。その他の構成は、上記実施の形態と同様である。
図３（Ａ）は、図３（Ｂ）、（Ｃ）に示す眼鏡フレームのプレフレームを示している。
このプレフレーム１２００は、フロントフレーム２１０となるフロントフレーム対応部１２１０と、リム２０となるリム対応部１２０と、を備え、これらの構成部分が互いに干渉しない形態で一つの平面上に配置され、一枚の展開フレームとして一体的に構成されている。
【００１９】
フロントフレーム対応部１２１０の外枠対応部１２１１は、上半部２１１Ａとなる上半部対応部１２１１Ａと下半部２１１Ｂとなる下半部対応部１２１１Ｂを有し、左右の上半部対応部１２１１Ａを連結する上ブリッジ対応部１２１６Ａと、下半部対応部１２１１Ｂを連結する下ブリッジ対応部１２１６Ｂが、所定間隔だけ離間して分離した構成となっている。
また、ヨロイ対応部１２１５は、上半部対応部１２１１Ａと下半部対応部１２１１Ｂの側端の結合部１２１１Ｃから上方に突出する突出片によって構成されている。
また、リム２０となるリム対応部１２０の伸縮形状部対応部１４０が、ヨロイ対応部１２１５に対して下方に配置されている。その他の構成は、上記実施の形態と同様である。
【００２０】
図４は、本考案のさらに他の実施形態を示している。
図４(Ａ)の眼鏡フレームは、フロントフレーム３１０の外枠３１１がブロータイプで、図１に示した実施の形態の外枠のヨロイ１５に対して上半部のみで構成された形状となっている。
図４（Ｂ）は、図４（Ａ）の眼鏡フレームに対して、外枠３１１の上半部３１１Ａとリム２０の上辺部及び左右側辺の途中まで、隙間なく連結されている例である。
図４（Ｃ）は、図１の眼鏡フレームにおいて、外枠３１１の上辺、内側辺及び下側辺が、リム２０と隙間なく一体的に連結された例である。
【符号の説明】
【００２１】
１          眼鏡フレーム
２          レンズ
２ａ        溝
６          連結片
１０        フロントフレーム
１１        外枠
１３        ブリッジ
１４        パッド足
１５        ヨロイ
１６        連結片
２０        リム
３０        テンプル
４０        伸縮形状部
４１        山部
４２        折り曲げ部
４３        谷部
４４        折り返し部
１００      プレフレーム
１１０      フロントフレーム対応部
１１１      外枠対応部
１１３      ブリッジ対応部
１１４      パッド足対応部
１１５      ヨロイ対応部
１２０      リム対応部
１４０      伸縮形状部対応部
１４２      折り曲げ部
１４３      谷部
１４４      折り返し部
２１０      フロントフレーム
２１１      外枠
２１１Ａ    上半部
２１１Ａ    上半部
２１１Ｂ    下半部
２１１Ｂ    下半部
２１１Ｃ    結合部
２１５      ヨロイ
２１６Ａ    上ブリッジ
２１６Ｂ    下ブリッジ
２３０      テンプル
３１０      フロントフレーム
３１１      外枠
３１１Ａ    上半部
１２００    プレフレーム
１２１０    フロントフレーム対応部
１２１１    外枠対応部
１２１１Ａ  上半部対応部
１２１１Ａ  上半部対応部
１２１１Ｂ  下半部対応部
１２１１Ｃ  結合部
１２１５    ヨロイ対応部
１２１６Ａ  上ブリッジ対応部
１２１６Ｂ  下ブリッジ対応部
【図１】
0003199604.tif 000003
【図２】
0003199604.tif 000004
【図３】
0003199604.tif 000005
【図４】
0003199604.tif 000006